【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
方法であって、
ＰＬＣモデムを含む第１の電力線通信（ＰＬＣ）デバイスにより、
各々が複数のタイムスロットを含む複数のフレームを定義することと、
前記複数のフレームの各々の前記複数のタイムスロットの各々内にビーコン及び帯域スキャンパケットの対をアセンブルすることであって、各帯域スキャンパケットが、そのそれぞれのフレーム内のそのタイムスロットの位置を示すスロットインデックスと、複数の異なる周波数帯域の１つを示す帯域インデックスと、第２のＰＬＣデバイスから前記第１のＰＬＣデバイスへの方向に前記第１のＰＬＣデバイスと通信するために前記第２のＰＬＣデバイスにより用いられるべき前記複数の異なる周波数帯域のいずれとも異なる周波数帯域を示す情報とを含む、前記アセンブルすることと、
前記複数の異なる周波数帯域の対応する１つで、前記複数のフレームの各々を前記第２のＰＬＣデバイスに電力線で連続的に送信することと、
を実行することを含む、方法。
【請求項２】
請求項１記載の方法であって、
前記情報が信号対雑音比（ＳＮＲ）又はビット誤り率（ＢＥＲ）情報の少なくとも１つを含む、方法。
【請求項３】
方法であって、
ＰＬＣモデムを含む前記第１のＰＬＣデバイスにより、
各々が複数のタイムスロットを含む複数のフレームを定義することと、
前記複数のフレームの各々の前記複数のタイムスロットの各々内にビーコン及び帯域スキャンパケットの対をアセンブルすることと、
複数の異なる周波数帯域の対応する１つで、前記複数のフレームの各々を第２のＰＬＣデバイスに電力線で連続的に送信することと、
前記複数のフレームを送信したことに応答して、前記第１のＰＬＣデバイスと前記第２のＰＬＣデバイスとの間の前記第１のＰＬＣデバイスから前記第２のＰＬＣデバイスへの方向の通信において用いられるべき前記複数の異なる周波数帯域の１つ又は複数の選択を示す１つ又は複数のパケットを、前記第２のＰＬＣデバイスから受け取ることと、
を実行することを含む、方法。
【請求項４】
請求項３に記載の方法であって、
前記第１のＰＬＣデバイスがアクティブであることを前記第２のＰＬＣデバイスに通知するように前記ビーコンパケットが構成される、方法。
【請求項５】
電力線通信（ＰＬＣ）デバイスであって、
プロセッサと、
前記プロセッサに結合されたメモリと、
を含み、
前記メモリが前記プロセッサによって実行可能なプログラム命令を記憶するように構成され、
前記プログラム命令が前記ＰＬＣデバイスに、
複数の周波数帯域の各々で１つ又は複数のタイムスロットを連続的にスキャンさせ、
前記複数の周波数帯域の１つで第２のＰＬＣデバイスにより前記ＰＬＣデバイスに送信されたパケットを検出させ、
前記検出されたパケットに少なくとも部分的に基づいて、前記複数の周波数帯域全域で、前記第２のＰＬＣデバイスから受信した追加のパケットを同期させ、
前記追加のパケットが複数のフレームに組織され、前記複数のフレームの各々が前記第２のＰＬＣデバイスにより前記ＰＬＣデバイスに前記複数の周波数帯域のそれぞれの１つで送信されており、各フレームが複数のタイムスロットを有し、各タイムスロットがビーコン及び帯域スキャンパケットの対を有する、ＰＬＣデバイス。
【請求項６】
請求項５に記載のＰＬＣデバイスであって、
前記第２のＰＬＣデバイスがアクティブであることを前記ＰＬＣデバイスに通知するように前記ビーコンパケットが構成される、ＰＬＣデバイス。
【請求項７】
請求項６に記載のＰＬＣデバイスであって、
各帯域スキャンパケットが、そのそれぞれのフレーム内のそのタイムスロットの位置を示すスロットインデックスと、前記複数の周波数帯域の対応する１つを示す帯域インデックスとを含む、ＰＬＣデバイス。
【請求項８】
請求項５に記載のＰＬＣデバイスであって、
前記プログラム命令が前記プロセッサによって更に実行可能であり、前記プログラム命令が、前記ＰＬＣデバイスに、前記複数のフレームのそれぞれの１つに少なくとも部分的に基づいて前記複数の周波数帯域の各々のためのチャネル品質メトリックを計算させる、ＰＬＣデバイス。
【請求項９】
請求項８に記載のＰＬＣデバイスであって、
前記チャネル品質メトリックが、信号対雑音比（ＳＮＲ）又はビット誤り率（ＢＥＲ）計算又は推定の少なくとも１つを含む、ＰＬＣデバイス。
【請求項１０】
請求項８に記載のＰＬＣデバイスであって、
前記プログラム命令が、前記ＰＬＣデバイスに、１つ又は複数のパケットを前記第２のＰＬＣデバイスに送信させるように前記プロセッサによって更に実行可能であり、
前記１つ又は複数のパケットの各々が前記複数のタイムスロットの１つに対応し、１つ又は複数のパケットの各々が前記チャネル品質メトリックの表示を含む、ＰＬＣデバイス。
【請求項１１】
請求項８に記載のＰＬＣデバイスであって、
前記プログラム命令が、ラウンドロビン又はキャリア検知多重アクセス（ＣＳＭＡ）方式の少なくとも１つに基づいて、前記ＰＬＣデバイスに、前記１つ又は複数のパケットを前記第２のＰＬＣデバイスにいつ送信するかを判定させるように、前記プロセッサによって更に実行可能である、ＰＬＣデバイス。
【請求項１２】
そこに記憶されるプログラム命令を有する有形電子記憶媒体であって、第１の電力線通信（ＰＬＣ）モデム内でプロセッサによって実行されると、前記プログラム命令が前記第１のＰＬＣモデムに、
動作の第１のモードで、
複数のタイムスロットを有する複数のフレームを定義させ、
前記複数のフレームの各々の前記複数のタイムスロットの各々内にビーコン及び帯域スキャンパケットの対をアセンブルさせ、
第１の複数の周波数帯域の対応する１つで、前記複数のフレームの各々を電力線で第２のＰＬＣモデムに連続的に送信させ、
動作の第２のモードで、
前記第１の複数の周波数帯域とは異なる第２の複数の周波数帯域の各々の１つ又は複数のタイムスロットを前記電力線で監視させ、
前記第２の複数の周波数帯域の１つで前記第２のＰＬＣモデムによって送信されたパケットを検出させ、
前記検出されたパケットに少なくとも部分的に基づいて、前記第２の複数の周波数帯域全域で前記第２のＰＬＣモデムによって送信された追加のパケットの受信を同期させ、
前記追加のパケットに少なくとも部分的に基づいて、前記第２の複数の周波数帯域の各々のためのチャネル品質値を計算させ、
前記チャネル品質値に少なくとも部分的に基づいて、前記第２のＰＬＣモデムから前記第１のＰＬＣモデムへの方向の前記第２のＰＬＣモデムとの後続通信のための前記第２の複数の周波数帯域の１つ又は複数を選択させる、有形電子記憶媒体。
【請求項１３】
請求項１２に記載の有形電子記憶媒体であって、
前記プログラム命令が、前記プロセッサによって実行されると、前記第１のＰＬＣモデムに更に、
前記動作の第１のモードで、
前記第１のＰＬＣモデムから前記第２のＰＬＣモデムへの方向の前記第２のＰＬＣモデムとの後続通信に用いられるべき前記第１の複数の周波数帯域の１つ又は複数を示す通信を前記第２のＰＬＣモデムから受け取らせる、有形電子記憶媒体。
【請求項１４】
請求項１２に記載の有形電子記憶媒体であって、
前記プログラム命令が、前記プロセッサによって実行されると、第１のＰＬＣモデムに更に、
前記動作の第２のモードで、
前記第２の複数の周波数帯域の各々で前記第２の複数の周波数帯域の前記選択された１つ又は複数を前記第２のＰＬＣモデムに通信させ、
前記第２の複数の周波数帯域の前記選択された１つ又は複数が、前記第２のＰＬＣモデムから前記第１のＰＬＣモデムへの方向の前記ＰＬＣモデムとの後続通信に用いられるべきである、有形電子記憶媒体。